(57)【特許請求の範囲】
【請求項１】
キャビネット本体の前部中央に配置された主扉と、この主扉の左右両側に配置された一対の袖扉とを備えると共に少なくとも主扉の前面に主鏡が配置されたミラーキャビネットにおいて、
前記袖扉は、前記主扉とは反対側となる端部を支点として前記キャビネット本体に回転可能に連結されているとともに、内面側にサイドミラーが着脱自在且つ袖扉の回転中心側を自由端として相対回転可能に装着され、
前記袖扉をそれぞれ開いた状態で前記各サイドミラーを所定角度回転させることで、当該サイドミラー及び前記主鏡により三面鏡が形成されることを特徴とするミラーキャビネット。
【請求項２】
前記袖扉の内面側に上下方向に延びる支持部材が設けられ、当該支持部材に前記サイドミラーが着脱自在に設けられていることを特徴とする請求項１記載のミラーキャビネット。
【請求項３】
前記支持部材は、サイドミラーに替えて洗面用具等のオプションが支持可能に設けられていることを特徴とする請求項２記載のミラーキャビネット。
【発明の詳細な説明】
【技術分野】
【０００１】
本発明はミラーキャビネットに係り、更に詳しくは、袖扉の内側に設けられた収納部に対して物品の出し入れを容易に行えるとともに、必要に応じて三面鏡を形成することのできるミラーキャビネットに関する。
【背景技術】
【０００２】
洗面室等に設置されるミラーキャビネットは、内部に収納部が設けられたキャビネット本体と、このキャビネット本体の前部に配置された鏡とを備えて構成されている。公知のミラーキャビネットとしては、中央の収納部を開閉するように回転可能に取り付けられた主扉と、左右の収納部を開閉するように回転可能に取り付けられた袖扉と、これら各扉の前面に配置された主鏡及びサイドミラーとを備えたタイプのものが知られている（例えば、特許文献１参照）。
【０００３】
【特許文献１】特開２００３−２３５６５５号公報
【発明の開示】
【発明が解決しようとする課題】
【０００４】
特許文献１に記載されたミラーキャビネットによれば、袖扉に対してサイドミラーを相対回転させることで、前記主鏡と相互に作用して三面鏡を形成することができる。しかしながら、同文献１に記載されたミラーキャビネットにあっては、袖扉が後扉と、当該後扉の前面側に位置するミラー扉との二重構造となっており、ミラー扉が常に表出する構造とされている。従って、主鏡の左右両側に化粧パネルを表出させた外観形態を有する一面鏡として利用することはできない構成となっている。
【０００５】
なお、ミラーキャビネットは、三面鏡として利用する必要がないというユーザーの要請が現実的に存在するため、特許文献１記載のミラーキャビネットは、サイドミラーが無駄な存在となる。このため、袖扉にミラーを取り付けることを選択的なものとし、袖扉を別途の目的のために利用することも可能なミラーキャビネットの出現も待望されている。
【０００６】
［発明の目的］
本発明は、前述した不都合とユーザーのニーズに着目して案出されたものであり、袖扉を多面的に利用して三面鏡としての利用形態と、一面鏡としての利用形態とを選択的に採用することが可能なミラーキャビネットを提供することにある。
【課題を解決するための手段】
【０００７】
前記目的を達成するため、本発明は、キャビネット本体の前部中央に配置された主扉と、この主扉の左右両側に配置された一対の袖扉とを備えると共に少なくとも主扉の前面に主鏡が配置されたミラーキャビネットにおいて、
前記袖扉は、前記主扉とは反対側となる端部を支点として前記キャビネット本体に回転可能に連結されているとともに、内面側にサイドミラーが着脱自在且つ袖扉の回転中心側を自由端として相対回転可能に装着され、
前記袖扉をそれぞれ開いた状態で前記各サイドミラーを所定角度回転させることで、当該サイドミラー及び前記主鏡により三面鏡が形成される、という構成を採っている。
【０００８】
本発明において、前記袖扉の内面側に上下方向に延びる支持部材が設けられ、当該支持部材に前記サイドミラーが着脱自在に設けられる、という構成を採ることができる。
【０００９】
また、前記支持部材は、サイドミラーに替えて洗面用具等のオプションが支持可能に設けられる、という構成を採っている。
【発明の効果】
【００１０】
本発明によれば、前記袖扉は内面にサイドミラーが相対回転可能に取り付けられているため、袖扉を閉塞位置としたときに、主鏡の左右両側に袖扉を構成する化粧パネルを位置させた外観形態を有する一面鏡として利用できる一方、袖扉を開いた状態でサイドミラーを所定角度回転させることで三面鏡として利用することも可能となる。
【００１１】
また、袖扉に設けられた支持部材は、サイドミラーの他に、別途の対象物をオプションとして支持可能に設けられているため、三面鏡を必要としないユーザーの要望に対しては、サイドミラーに替えて洗面用具等を支持させることで多用途的に利用することが可能となる。
【発明を実施するための最良の形態】
【００１２】
以下、本発明の好ましい実施の形態について、図面を参照しながら説明する。
【００１３】
図１には、本実施形態におけるミラーキャビネットの概略斜視図が示されている。この図において、ミラーキャビネット１０は、キャビネット本体１１と、当該キャビネット本体１１の前部中央に配置された主扉としての中央扉１２と、この中央扉１２の左右両側に配置された一対の袖扉１３，１３とを備えて構成されている。
【００１４】
前記キャビネット本体１１は、洗面ボール１４を備えたベースキャビネット１５の後部上方位置に配置されている。このキャビネット本体１１は、図２に示されるように、中央部に位置する中央収納部２０と、この中央収納部２０の左右両側に位置する一対の外側収納部２１，２１とを備え、これら収納部２０，２１の前部開放側が中央扉１２及び袖扉１３，１３によって閉塞されるようになっている。
【００１５】
前記中央扉１２は、その前面に主鏡２２が配置されているとともに、図２中左端側の上下二箇所がキャビネット本体１１の前端部にヒンジ連結されて同図中右端を自由端として回転可能に設けられている。
【００１６】
前記袖扉１３は、主鏡２２すなわち中央扉１２とは反対側となる端部が支点となるようにキャビネット本体１１の前端部にヒンジ連結され、中央扉１２側を自由端としてそれぞれ回転可能に設けられ、これにより、各袖扉１３は、外開き型となって外側収納部２１に対して物品が出し入れし易くなっている。これらの袖扉１３は、各自由端側における内面に、上下方向に延びる支持部材２５をそれぞれ備え、当該支持部材２５を介してサイドミラー２７が支持されている。ここで、支持部材２５は、図２に示されるように、上下方向に延びる直線状の軸部材により構成され、その上下両端が袖扉１３に支持されている。
【００１７】
前記サイドミラー２７は、幅方向一端側における上下二箇所が支持部材２５に支持されており、支持された状態でサイドミラー２７は袖扉１３の回転中心側を自由端として、袖扉１３に相対回転可能となっている。このサイドミラー２７は、支持部材２５に対して着脱自在であり、支持部材２５から取り外した状態で、当該支持部材２５には、外側収納部２１に収納される物品との位置的干渉の生じない状態で、オプションとしての図示しない小物入れトレイや、歯ブラシ収納ケース等が装着できるように設けられている。なお、本実施形態では、サイドミラー２７の上下方向高さは、袖扉１３の上下方向高さよりも短寸に設定されており、支持部材２５の上下各領域にオプションを装着することもできる。
【００１８】
次に、本実施形態におけるミラーキャビネット１０の使用方法について、図３をも参照しながら説明する。ここで、各袖扉１３の内面側には、サイドミラー２７がそれぞれ支持されているものとする。
【００１９】
図３（Ａ）に示されるように、袖扉１３が閉塞位置にある場合には、当該袖扉１３の前面は、主鏡２２の前面と略同一面内に位置することとなり、この状態では、主鏡２２の左右両側に化粧パネルにより構成された袖扉１３が位置する一面鏡として利用することができる。
【００２０】
前記ミラーキャビネット１０を三面鏡として利用する場合には、図３（Ｂ）に示されるように、袖扉１３の自由端すなわち主鏡２２側の端部を手前側に引いて外開きする。次いで、袖扉１３の回転中心側に位置するサイドミラー２７の端部を持ち、図３（Ｃ）中矢印方向に向かって主鏡２２の端縁に近接する位置まで回転させればよい。これにより、主鏡２２及び左右のサイドミラー２７，２７によって三面鏡が形成されることとなる。
【００２１】
なお、サイドミラー２７を支持部材２５から取り外して当該支持部材２５に洗面用具類を支持させることで、袖扉１３を有効に利用した収納を実現することができる。
【００２２】
従って、このような実施形態によれば、一面鏡としての利用形態と、三面鏡としての利用形態とを選択することができるとともに、袖扉１３を利用した収納方式も実現できるミラーキャビネットを提供することができる。
【００２３】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、前記実施形態では、支持部材２５が軸部材によって構成されている場合を図示説明したが、本発明はこれに限定されるものではなく、サイドミラー２７や、その他のオプションが支持できる構成であれば足りる。
【００２５】
また、前記実施形態では、ミラーキャビネットが洗面ボールを備えたベースキャビネットと組み合わされた一体型を図示、説明したが、ベースキャビネットと別体としてミラーキャビネットを壁面に固定する場合も含む。
更に、前記実施形態では、袖扉１３の前面には鏡を配置していないが、主鏡２２に加え、一方或いは両方の袖扉１３の前面に袖鏡を配置することにより、一面鏡としての利用形態における鏡の面積を拡大する構成とすることも可能である。
【図面の簡単な説明】
【００２６】
【図１】実施形態に係るミラーキャビネットの全体構成を示す概略斜視図。
【図２】袖扉とサイドミラーを開いた状態を示す要部拡大正面図。
【図３】（Ａ）〜（Ｃ）は、ミラーキャビネットの使用要領を示す説明図。
【符号の説明】
【００２７】
１０…ミラーキャビネット、１１…キャビネット本体、１３…袖扉、２２…主鏡、２５…支持部材、２７サイドミラー
【図１】
0004495067.tif 000002
【図２】
0004495067.tif 000003
【図３】
0004495067.tif 000004